(57)【要約】【課題】  生ける花樹の量や花器の大きさに関係なく、花器内において生け花を確実に固定すると共に、完成した生け花の不動状態を確実に保持することができる生花整形器を提供することを目的とする。【解決手段】  整形部１には、挿し込まれる花樹を保持するための下方に向かって下窄み形状をなす保持部３と、整形部１を平面視した場合、前記保持部３の内部に花樹を安定に固定するための区画空間４と、を備え、該区画空間４の下方部分は開放されており、区画空間４に挿し込まれる花樹を隣接する区画空間４にはみ出した状態で保持できることを特徴とする。また、整形部１には、挿し込まれる花樹を保持するための下方に向かって下窄み形状をなす保持部３と、整形部１を平面視した場合、前記保持部３の内部に花樹を安定に固定するための区画空間４と、を備え、前記保持部３の幅は幅方向に調整できることを特徴とする。【選択図】      図１（ａ）（ｂ）
2006204455.tif 000002
【特許請求の範囲】
【請求項１】
整形部（１）には、挿し込まれる花樹を保持するための下方に向かって下窄み形状をなす保持部（３）と、整形部（１）を平面視した場合、前記保持部（３）の内部に花樹を安定に固定するための区画空間（４）と、を備え、該区画空間（４）の下方部分は開放されており、区画空間（４）に挿し込まれる花樹を隣接する区画空間（４）にはみ出した状態で保持できることを特徴とする生花整形器。
【請求項２】
整形部（１）には、挿し込まれる花樹を保持するための下方に向かって下窄み形状をなす保持部（３）と、整形部（１）を平面視した場合、前記保持部（３）の内部に花樹を安定に固定するための区画空間（４）と、を備え、前記保持部（３）の幅は幅方向に調整できることを特徴とする生花整形器。
【請求項３】
前記整形部（１）は対面する板体（１１）から構成してあり、該対面する板体（１１）にはそれぞれ上端位置から下方に向かって切り込み溝（１２）を形成し、該両板体（１１）の切り込み溝（１２）に跨って板状の区画部材（１３）を嵌挿してあることを特徴とする請求項２記載の生花整形器。
【請求項４】
前記区画空間（４）を形成する板体（１１）及び区画部材（１３）には、斜め方向から区画空間（４）内に花樹を差し込むための挿し込み補助部（１５）が設けてあることを特徴とする請求項３記載の生花整形器。
【請求項５】
前記切り込み溝（１２）は、下方に向かって幅が狭くなるテーパ形状をなしていることを特徴とする請求項３又は４記載の生花整形器。
【請求項６】
筒状体（２）の内部に前記整形部（１）を嵌挿してあることを特徴とする請求項１、２、３、４又は５記載の生花整形器。
【請求項７】
前記筒状体（２）は、方形状の筒体（１８）であることを特徴とする請求項６記載の生花整形器。
【発明の詳細な説明】
【技術分野】
【０００１】
本発明は、花や樹木などを自分の思い通りの形に生けることができると共に、完成した生け花の不動状態を保つことができる生花整形器に関するものである。
【背景技術】
【０００２】
生け花とは、花や樹木などを花瓶や水盤といった花器に美しく飾るものであり、生け花の美しさに花器の豪華さが相まって、見る人の気分を和ませ、人の気持ちを優しくすると共に元気を与えてくれる作用を有している。この作用を長期間に亘って有効に発揮するためには、生け花がみずみずしい生気を保ち続けなければならないことはもちろんのこと、見る角度を計算し、全体の形を十分に考慮して美しく作り上げられた生け花の姿を保ち続けなければならない。このような生け花の状態を保持するためには、生け花の角度や形を変えることなく花器内の水を少なくとも毎日欠かさず取り換えることが必要とされている。
【発明の開示】
【発明が解決しようとする課題】
【０００３】
しかしながら、従来の水交換作業においては、生け花を一旦花器内から取り出すか、ポンプを使用しなければならず、作者の思い通りに作り上げた美しい生け花の姿が崩されると共に、花器内に新しい水を補給した後に、再び生け花を花器内に生け直す必要があるため、手間が掛かり非常に面倒であった。特に大きな花器を使用した場合には、生け花と合わせるとかなり重く、水の入れ換えのための作業が大変に困難であった。従って多くの場合は、減った水をやかん等を用いて補給するにとどまり、完全に新しい水と交換することができず、どうしても生け花を長持ちさせることに難点があった。
【０００４】
また、花器内に生け花を生ける場合、例えば花瓶に生ける場合は、花瓶の口部いっぱいに花樹が広がるため、生ける花樹の量に合わせて花瓶の大きさを変更しなければならず、更に生けている最中や生け終わった後も、生け花は固定されてはおらず不安定な状態のため、生け花に触れたり花器を水交換によって動かすだけで花形が崩されてしまう問題があった。また、皿状の水盤に生ける場合は、剣山を使用するため、花の茎や樹木を斜めに切って一本一本剣山の針に挿して固定しなければならず、剣山の針の部分は長いもので２ｃｍ程度と非常に短く形成されていることから、その作業は非常に難しく、更に全体の見栄えをも考慮しながら作業を行わなければならないため、熟練した技術が必要となり、未熟者には非常に困難な作業であった。このようなことから、生け花とは、少しでも花に触れたり、花器を移動させることで、角度や形が簡単に変えられてしまうため、非常に繊細且つ慎重に取り扱われることとなり、従来、花器を動かさずに水交換を行うことが非常に面倒であったため、数日間も放置してしまう結果、水中の枯れた葉や花びら、根や生け花が出す排泄物によって腐敗が起こり、悪臭を放ったり、養分が供給されずに生育障害が起こり、みずみずしい状態が維持できないなどの問題点があった。
【０００５】
そこで本発明者は、以前より、熟練技術の有無に関わらず誰もが花や樹木などを自分の思い通りの形に生けることができると共に、完成した生け花の不動状態を保つことができる生花整形器に関する発明や、その生花整形器を使用する花器や、生け花を動かすことなく花器内の水交換を行うことができる花器などに関する様々な発明を行ってきた。これらの発明の根本には、人間の体の約７０％が水分からできていると言われるように、人間を含めて全ての生き物は水分無しには生きられず、生き物に水を与えるということが如何に重要であるかということを生け花（華道）を通して皆に知って貰いたい、また、生け花とは見る人の気分を和ませ、人の気持ちを優しくすると共に元気を与えてくれるという素晴らしい作用を有しており、生け花の大衆化を図ることで生け花のある暮らしの良さをより多くの人に知って貰いたいという心がある。
【０００６】
そのような中で今回の発明は、今までの発明の集大成と言え、実際に商品として販売する形態そのものについてであり、生ける花樹の量や花器の大きさに関係なく、花器内において生け花を確実に固定すると共に、完成した生け花の不動状態を確実に保持することができる生花整形器を提供することを目的とする。
【課題を解決するための手段】
【０００７】
上記目的を達成するために、本発明のうち請求項１記載の発明は、整形部には、挿し込まれる花樹を保持するための下方に向かって下窄み形状をなす保持部と、整形部を平面視した場合、前記保持部の内部に花樹を安定に固定するための区画空間と、を備え、該区画空間の下方部分は開放されており、区画空間に挿し込まれる花樹を隣接する区画空間にはみ出した状態で保持できることを特徴とする。
【０００８】
ここで保持部とは、内部に区画空間を備え且つそれぞれの区画空間の内部に下方に向かって下窄み形状をなした部分が形成されており、その部分で花樹を保持することが可能であればどのような形態であってもよく、保持部の下窄み形状としては、例えば断面Ｖ字状や断面Ｕ字状などを挙げることができる。また、保持部の形態は固定しておいてもよいし、花樹を挿し込んだ際に幅方向に変形可能にしておいてもよい。整形部と保持部の構成としては、例えばパイプ状体の下端部分を潰したものや、一枚の板状体に曲げ加工やプレス加工を施したもの、複数の板状体を組み合わせたものや方形状体に溝を設けたものなどが挙げられる。整形部の材質については陶磁器、銅器、金属、ガラス、木製、ゴム、プラスチックなどであれば特に限定するものではないが、保持部内に連通するような透水穴などを形成して透水性を持たせることが望ましい。
【０００９】
区画空間の形状としては、花樹を安定させることが可能であればどの形状でもよく、例えば方形状、菱形及び三角形などの様々な形状を挙げることができる。保持部内に区画空間を備える手段としては、保持部内の上部のみを区切り、下部を開放していればどのような形態であってもよく、例えば板状や棒状などの区画部材を区画空間の形状に合わせて保持部内の上部に備えたもの、区画部材を井桁状になるように保持部の上部に組み合わせたものなどが挙げられる。
【００１０】
請求項２記載の発明は、整形部には、挿し込まれる花樹を保持するための下方に向かって下窄み形状をなす保持部と、整形部を平面視した場合、前記保持部の内部に花樹を安定に固定するための区画空間と、を備え、前記保持部の幅は幅方向に広狭調整できることを特徴とする。ここで保持部とは、内部に区画空間を備え且つそれぞれの区画空間の内部に下方に向かって下窄み形状をなした部分が形成されており、その部分で花樹を保持することが可能であると共に、保持部の幅を幅方向に調整可能であればどのような形態であってもよく、保持部の下窄み形状としては、例えば断面Ｖ字状や断面Ｕ字状などを挙げることができる。区画空間の形状としては、花樹を安定させることが可能であればどの形状でもよく、例えば方形状、菱形及び三角形などの様々な形状を挙げることができる。整形部の材質については陶磁器、銅器、金属、ガラス、木製など特に限定しないが、軽量で緩衝性を有するプラスチックや耐水性に優れたゴムにすることが望ましい。また整形部には、保持部内に連通するような透水穴を形成するなどして、透水性を持たせることが望ましい。
【００１１】
整形部と保持部の構成については、保持部の幅を幅方向に調整可能な形態であれば特に限定しないが、請求項３記載の発明のように、整形部を対面する板体から構成し、該対面する板体にはそれぞれ上端位置から下方に向かって切り込み溝を形成し、該両板体の切り込み溝に跨って板状の区画部材を嵌挿することが望ましい。このように構成すれば、切り込み溝において区画部材を確実に整形部に固定できるため、保持部及び区画空間の形状が確実に固定保持されて整形部の強度を向上させることができる。また保持部の幅を調整する場合、区画部材がガイド代わりとなって容易且つスムーズに調整作業を行うことができる。さらに切り込み溝への区画部材の嵌挿位置を調整することにより、整形器全体の幅を変更することが可能となり、様々な大きさ及び形状の花器内に収容することができる。対面する板体は、下端部分においてヒンジ状に開閉できるように連結されていてもよいし、また、両板体を分離していてもよい。区画部材の材質については、整形部と同じ材質にすることが望ましく、例えば陶磁器、銅器、金属、ガラス、木製などを挙げることができるが、軽量で緩衝性を有するプラスチックや耐水性に優れたゴムにすることが望ましい。
【００１２】
板体及び区画部材には、請求項４記載の発明のように、斜め方向から区画空間内に花樹を差し込むための挿し込み補助部を設けることが望ましい。このように構成すれば、区画空間内へ花樹を斜め方向、極端に言えば横方向から挿し込むことでき、今までには考えられなかった様々な生け方が可能となる。ここで挿し込み補助部の備える手段としては、四方八方から区画空間内へ花樹を挿し込むことが可能であれば、特に限定するものではなく、例えば板体及び区画部材の上端から下方に向かって溝状に形成してもよいし、板体及び区画部材の下端から上方に向かって溝状に形成してもよく、上下端のどちらか一方側にのみ形成してもよいし、上下両端に形成してもよく、保持部の大きさや形状に合わせて適宜変更することが望ましい。また挿し込み補助部は、板体及び区画部材の上下端部にではなく中間位置にくり貫き穴状に形成してもよい。挿し込み補助部の形状については、花樹を挿し込むことに支障がなければどのような形状であってもよいが、溝状に形成する場合はＵ字状にすることが望ましく、くり貫き穴状に形成する場合は上下方向に長くなる楕円状などにすることが望ましい。
【００１３】
切り込み溝の形状については、区画部材を強固に嵌挿できる形状で且つ板体と区画部材とが分離可能であれば、例えば長方形状など、どのような形状であってもよいが、請求項５記載の発明のように、下方に向かって幅が狭くなるテーパ形状にすることが望ましい。このようにすれば、テーパの部分において区画部材をより一層強固に固定でき、区画空間の形状もより一層確実に固定保持される。
【００１４】
生花整形器を使用する場合、上記構成のものをそのまま花器内に収納してもよいが、請求項６記載の発明のように、筒状体の内部に整形部を嵌挿してもよい。このように構成することにより、生花整形器に安定感を持たせることが可能となり、保持部内に挿し込まれる花樹のより一層の安定化を図ることができる。筒状体の材質としては、例えば陶器、銅器、ガラスなどの水に沈む重量物にすることが望ましい。筒状体には透水性を持たせることが望ましく、その手段としては、例えば筒状体の側面及び側周面に内部と連通する透水穴を形成しておく方法などが挙げられる。また筒状体には底面を備えてもよく、その場合は底面にも透水穴を形成することが望ましい。
【００１５】
ここで筒状体とは、必ずしも円筒形状に限定されるものではなく、筒状体の内部に整形部を嵌挿することが可能な形状のもの、例えば開口部の形状が三角形状や台形状などをなした筒状体や、さらには円錐形状や角錐形状などを全て含める概念であるが、その中でも特に、請求項７記載の方形状の筒体にすることが望ましい。このように方形状にすることで、内部に整形部をより容易且つ強固に嵌挿できると共に、生花整形器自体を安価に形成することができる。また、弁当箱の様な身近にある既存の容器を方形状の筒体として使用することも可能となり、より一層手軽に生け花を楽しむことができる。
【発明の効果】
【００１６】
請求項１記載の発明によれば、花樹を生花整形器内に生ける場合、整形部内の保持部の下方に向かって下窄み形状の部分に花樹の下端部を挿し込むだけで、花樹を整形部内に確実に固定できることは勿論のこと、保持部内が区画空間によって区画されているため、花樹が保持部の開口部いっぱいに広がることを防ぎ、より一層強固に花樹を保持部内において固定することができ、その結果、剣山を使用する場合のような高度な技術を必要とせずに誰もが自分の思い通りの花形を容易に作り上げることができる。また、隣接する区画空間にはみ出る状態で花樹を固定できるので、自由自在の角度から花樹を生けることが可能となり、今までにはない様々な生け方を誰もが容易に楽しむことができる。さらには、作り上げた生け花の花形の不動状態が確実に保持されるので、花形を崩すことなく花器内に生花整形器を出し入れすることが可能となり、その結果、花器内の水交換作業を簡便に行うことができることから、生け花のみずみずしい状態を長期間に亘って保つことができる生花整形器となる。
【００１７】
請求項２記載の発明によれば、保持部の下方に向かって下窄み形状の部分と保持部内の区画空間とで花樹を強固に固定できるだけでなく、保持部の幅が幅方向に調整可能であるため、生け花をより一層強固に保持部内に固定することができる。その結果、この生花整形器さえあれば、例えば保持部の幅を狭めることにより一輪挿しとして使用が可能となり、生ける花樹の量や生ける花器の大きさを問わず、花器内に花樹を確実に生けることができると共に、生け花の不動状態も確実に保持することができ、今までにはなかった斬新な生け花を提供することができる生花整形器となる。
【００１８】
請求項３記載の発明によれば、保持部内の下窄み形状及び区画空間の形状が確実に固定保持されることから、整形部の強度が高まり、生け花を保持部の区画空間内でより一層安定に固定することができると共に、保持部の幅を調整する場合は、区画部材をガイドにして容易且つスムーズに行うことができる。
【００１９】
請求項４記載の発明によれば、挿し込み補助部を使用することにより、四方八方から区画空間へ花樹を角度を倒して斜め方向、極端に言えば横方向から挿し込むことができ、さらに挿し込まれた花樹は保持部によって強固に固定されるので、従来、非常に難しいとされていた生け方であっても、高度な技術を必要とせずに誰もが容易且つ手軽に行うことができる。
【００２０】
請求項５記載の発明によれば、区画部材が切り込み溝のテーパ形状の部分でより強固に固定保持されることから、整形部をより一層高強度とすることが可能となり、区画空間内で固定される花樹もより一層安定した状態を保つことができる。
【００２１】
請求項６記載の発明によれば、生花整形器に安定性を持たせて整形部の不動状態及び起立状態を確実に保つことが可能となり、生け花の不動状態をより一層確実に保つことができると共に、整形部と筒状体の間に形成される空間部にも生け花を生けることが可能となり、一つの整形器で多様な生け方ができ、さらには様々な流派にも対応することができる。
【００２２】
請求項７記載の発明によれば、内部に整形部をより一層強固且つ容易に嵌挿できるだけでなく、生花整形器自体を安価に形成することができる。
【発明を実施するための最良の形態】
【００２３】
以下、本発明の実施形態を図面に基づいて説明する。
【００２４】
図１（ａ）（ｂ）は本発明の第１実施形態を示すもので、図１（ａ）は斜視図であり、図１（ｂ）はＡ−Ａ矢視の断面図である。図１（ａ）（ｂ）に示すように、生花整形器は花樹を生ける整形部１と、内部に整形部１を嵌挿し整形部１の起立状態及び不動状態を保持する円筒形状の筒体２と、から構成され、整形部１には挿し込まれる花樹を保持するための下方に向かって下窄み形状をなす保持部３と、整形部１を平面視した場合、前記保持部３の内部に花樹を安定に固定するための区画空間４と、を備え、区画空間４の下方部分は開放された形態になっている。
【００２５】
整形部１は木製の方形状体の内部にＶ字状の溝を形成したものであり、このＶ字状の溝が下方に向かって下窄み形状をなす保持部３となっている。区画空間４の形状は方形状をなしており、整形部１の上方部分に保持部３と交差する状態に設けた貫通穴５に丸棒６を嵌挿して固着させることのより形成されるものである。このように構成すれば、区画空間４の形状が確実に固定されて整形部１の強度が増すため、生けた花樹の安定性が確実に保たれる。丸棒６の左右両端部は整形部１から外側に飛び出しており、筒体２の内部に整形部１を嵌挿して筒体２を平面視した場合、整形部１と丸棒６とが井桁状に組み合わさって、保持部３内に形成された区画空間４の周囲に区画領域７が形成される。これにより保持部３内の区画空間４だけでなく、保持部３の周囲に形成された区画領域７内にも花樹を生けることが可能となり、例えば保持部３内の区画空間４のみを使用したり、区画空間４と区画領域７を組み合わせて使用したりすることで、生け花の花形を自分の思い通りにあしらうことができると共に、華道の様々な流派にも対応でき、誰もが手軽に様々な生け方を楽しむことができる。筒体２は陶器から形成し、花器内に整形器を収容した際に水に沈むようにしてある。また筒体２の下端には底部８を備え、整形部１が誤って筒体２から抜け出てしまうことを防ぐと共に、筒体２の内周壁を下方に向かって下窄み形状となるようテーパ状に形成し、嵌挿される整形部１をテーパ状の部分で確実に固定するものである。花器内の水が一定の場所にとどまることなく循環可能にするために、整形部１の下面には保持部３内に連通する透水穴９を形成すると共に、筒体２の底部８及び側周壁にも透水穴９を形成してある。また、筒体２内に整形部１を確実に固定させるためにも、整形部１の長手方向側の両端と丸棒６の左右両端は筒体２の内周壁に当接する形状にしてある。
【００２６】
ここで、花樹の本発明の生花整形器への生け方について説明する。生ける花樹については生花に限らず造花であってもよいし、生花と造花を混ぜても勿論よい。花樹は保持部３内の区画空間４にのみ生けてもよいし、区画空間４とその周囲に形成される区画領域７に生けてもよく、花樹の量や流派などに合わせて適宜に変更すればよい。区画空間４に花樹を生ける場合は、Ｖ字状の溝である保持部３によって花樹の下端部が強固に固定されるので、生け花の不動状態を確実且つ容易に保つことができるが、区画領域７の場合は、内部に保持部３を備えていないため、花樹と一緒に花樹の茎や割り箸などの棒状体、さらにはビーズ玉などを入れて、花樹を強固に固定すればよい。また区画空間４と区画領域７のそれぞれの下方部分は開放状態となっており、それぞれが区画されていないため、ある区画空間４又は区画領域７に挿し込んだ花樹の下端部は、隣接する区画空間４又は区画領域７にはみ出した状態で生けることが可能となり、花樹を自由自在の角度で生けることができる。このように本発明の生花整形器を使用することにより、誰もが自分の思い通りの生け花を容易に作り上げることができるだけでなく、作り上げた生け花の不動状態を確実に保持することが可能となるので、花器内の水交換作業を容易に行え、その結果、生け花のみずみずしい状態を長期間に亘って維持することができる。特に水交換が重要である榊や南天、万両、千両、松などの樹木については、本発明の生花整形器を使用することで、数ヶ月もの間みずみずしい状態を保つという実験結果が得られており、水交換が如何に大切であるか、さらには生き物には水を与えることが如何に重要でありかということを証明した。これに基づき、本発明の生花整形器は小学生などの学習教材に適していると共に、高齢者のリハビリなどにも非常に適していると言える。
【００２７】
図２（ａ）（ｂ）は本発明の第２実施形態を示すもので、図２（ａ）は斜視図であり、図２（ｂ）はＡ−Ａ矢視の断面図である。第１実施形態と相違するところは、整形部１の下端に台部１０を備えると共に、整形部１を筒体２内に嵌挿させた場合に台部１０が筒体２の底部代わりとなるので、筒体２には底部を備えていない点である。このように構成しても、整形部１を筒体２内に嵌挿した場合、整形部１の長手方向の端面と丸棒６の左右両端面、台部１０の外周面とが、テーパ形状をなした筒体２の内周壁に強固に当接するため、整形部１の不動状態及び起立状態が保持されて、生け花の不動状態が確実に保持される。
【００２８】
尚、上記実施形態においては、必ずしも整形部１を筒体２内に嵌挿しなくてもよく、整形部１のみを生花整形器として使用して花器内に収容してもよい。また筒体２の形状は円筒形状に限らず、例えば円錐形状や、開口部が長方形や正方形などをなした筒体であってもよい。整形部１及び筒体２の材質については、上記実施形態のようにそれぞれを異ならせてもよいが、両者を同一の材質から形成しても勿論よい。また具体的な材質については、環境を汚染する鉛のような材質以外であれば、特に限定するものではなく、陶器、銅器、磁器、ガラス、ゴム、プラスチック、木製などを挙げることができる。
【００２９】
図３（ａ）（ｂ）は本発明の第３実施形態を示すもので、図３（ａ）は全体を示す斜視図であり、図３（ｂ）は要部を示す一部を切欠した拡大図である。第１及び第２実施形態のように保持部３の形態は固定しておいてもよいが、図３（ａ）に示すように、対面する一対の板体１１，１１の下端部をヒンジ状に連結して、保持部３の幅を幅方向に調整可能にしてもよい。第３実施形態の具体的な構成は、上方が開口するように長手方向の中心部で２つに折り曲げられた一枚のプラスチック製の板体１１と、板体１１の対向する上端位置からそれぞれ下方に向かって形成された複数のスリット状の切り込み溝１２に嵌挿される一対の板状の区画部材１３とから構成される。板体１１を２つに折り曲げることで内部に断面Ｖ字状の保持部３が形成され、また対向する切り込み溝１２，１２をそれぞれ跨ぐように区画部材１３を嵌挿することで、板体１１と区画部材１３とが井桁状に組み合わされて、保持部３内に区画空間４が形成されると共に、区画空間４の周囲に区画領域７が形成される。板体１１は折り曲げ易いように屈曲部分を脆弱に形成してあり、左右側部と下端の中心部には凹状の透水溝１４が形成してある。図３（ｂ）に示すように、切り込み溝１２は下方に向かって幅が狭まるようにテーパが設けられており、嵌挿される区画部材１３をテーパによって強固に固定保持することができる。これにより形成される保持部３及び区画空間４のそれぞれの形状が強固に固定保持されるため、区画空間４内に生ける花樹はより一層安定して状態を保つことができる。また、区画部材１３がガイド代わりとなって保持部３の幅の調整が容易且つスムーズに行えると共に、幅の調整後は確実にその形態を固定保持させることができる。
【００３０】
また第３実施形態は、図４に示すように、対面する区画部材１３，１３をそれぞれ逆方向に平行移動させれば整形部１全体の幅（直径）を大きくすることが可能となり、様々な大きさや形状をなした花器内にでも、この整形器一つで誰もが容易に自分の思い通りの生け花を生けることができる。整形部１の幅が最も小さくなるのは、対向する区画部材１３，１３の両端が平行な一直線上に位置する場合（図３（ａ））であり、区画部材１３，１３をそれぞれ逆方向に平行移動させて、各区画部材１３の一端の距離を離すことで整形部１の幅は徐々に大きくなる（図４）。
【００３１】
図５（ａ）（ｂ）は第４実施形態を示すもので、図５（ａ）は全体を示す斜視図であり、図５（ｂ）は要部を示す一部を切欠した拡大図である。第３実施形態と相違するところは、板体１１と区画部材１３の上端部分には、上端位置から下方に向かって凹状の補助溝１５が間隔を設けて複数形成されている点である。この補助溝１５は、板体１１と区画部材１３を井桁状に組み合わせた際に形成される区画空間４及び区画領域７の周囲に形成されるものである。このように構成すれば、花樹を生ける際に補助溝１５を利用することにより、区画空間４の四方八方から花樹を生けることができるだけでなく、角度を倒して斜め方向や横方向といった様々な角度から花樹を容易に挿し込むことが可能となる。また、補助溝１５において花樹を支持することが可能となり、安定性を向上させることができる。
尚、補助溝１５の備える位置は板体１１及び区画部材１３の上端部分のみに限定されるものではなく、保持部３の深さに応じて適宜変更するものであり、例えば保持部３の深さが深い場合は、第４実施形態のように板体１１及び区画部材１３の上端位置に形成し、保持部３の深さが浅い場合は、板体１１及び区画部材１３の下端位置から上方に向かって形成することが望ましく、また保持部３の深さに関係なく、板体１１及び区画部材１３の上下両端部に形成しても勿論よい。また補助溝１５の形成位置は板体１１及び区画部材１３の上下端部に限らず、板体１１及び区画部材１３の上下方向の中間位置に穴状の補助溝を形成してもよい。補助溝１５を板体１１の下端部に備えた場合は、補助溝１５が透水溝１４の役割も果たすことになる。補助溝１５の形状については、ある程度角度を設けて花樹を生けることができる深さを有していれば、特に限定するものではなく、生けた花樹を傷つけないようにするためにも下端部は丸みをもたせた形状にすることが望ましい。
【００３２】
図６（ａ）（ｂ）は第５実施形態を示すもので、図６（ａ）は全体を示す斜視図であり、図６（ｂ）は要部を示す一部を切欠した拡大図である。第３実施形態と相違するところは、保持部３の深さが浅くなっている点と、区画部材１３の左右両端部には区画部材１３の長さを調整するための長さ調整手段を備えている点である。長さ調整手段とは縦方向に設けた溝１６であり、溝１６を設けることでその部分が脆弱となって切り離しが可能となり、区画部材１３の長さを短くすることができる。これにより、整形部１の幅は大きくも小さくもすることが可能となり、様々な形状や大きさの花器に対応することができる非常に優れたものとなる。また溝１６は間隔を設けて複数本設けられているので微調整が可能となっている。
【００３３】
図７は第６実施形態を示す斜視図である。第３実施形態と相違するところは、対面するプラスチック製の板体１１，１１の下端が完全に分離された形態をなしており、一対の板体１１，１１は略断面Ｌ字状に折り曲げられた形状をなしている点である。このように構成しても、第３実施形態と同様に、一対の板体１１，１１の間に断面Ｖ字状の保持部３が形成されると共に、区画部材１３によって保持部３の形態が確実に固定保持することができ、本発明の目的を十分に達成することができる。
尚、第６実施形態の整形器を使用する場合は、板体１１，１１の下端部分が台部代わりとなり安定性があるので、そのまま花器内に収容してもよいが、第１及び第２実施形態のように筒体２の内部に収容することが望ましい。
【００３４】
図８（ａ）（ｂ）は本発明の第７実施形態を示すもので、図８（ａ）は斜視図であり、図８（ｂ）はＡ−Ａ矢視の断面図である。第１実施形態と相違するところは、筒体２の内部に嵌挿する整形部１内の保持部３の幅が幅方向に調整可能な形態をなしている点である。整形部１の形態としては、第４実施形態の断面Ｖ字状の保持部３の深さを浅く形成したものであり、板体１１及び区画部材１３の下端にも補助溝１５を形成し、材質は弾力性及び耐水性に優れたゴム製にしてある。板体１１の下端側の補助溝１５は、透水溝１４の役割も果たしている。筒体２の上端には径が小さくなるように内側に向かって突出する鍔部１７が形成されており、内部に整形部１を嵌挿させた際に、区画部材１３の左右両端が鍔部１７の下端に係止して、整形部１が筒体２から外部に飛び出してしまうことを防いでいる。整形部１を筒体２内に嵌挿する場合は、対面する区画部材１３，１３の端部同士を手で抓んで、区画部材１３，１３の弾力を利用して各端部を近づける方向に湾曲させることにより容易に収容させることができる。筒体２内に完全に収容させた後、区画部材１３，１３から手を離すことで、区画部材１３，１３の端部が元の位置に戻り、筒体２の内周壁に弾力を利用して強固に当接して不動状態を保つものである。筒体２から整形部１を取り出す場合は、嵌挿する場合と逆の方法で行えば容易に取り出すことができる。このように構成すれば、整形部１が筒体２内に確実に固定保持されて不動状態を保つことができるので、生け花のより一層の安定化が図られる。
【００３５】
図９は第８実施形態を示す斜視図である。第８実施形態は一つの生花整形器に複数の保持部３を備える構成をなしたものであり、一枚のプラスチック製の板体１１を屏風状に複数回折り曲げて、内部に断面Ｖ字状の保持部３を複数形成したものである。板体１１には上端位置から下方に向かってスリット状の切り込み溝１２が複数形成してあり、切り込み溝１２に保持部３とは交差する状態に板状の区画部材１３を嵌挿してある。これにより板体１１と区画部材１３が井桁状に組み合わさり、板体１１を平面視した場合、各保持部３の内部に区画空間４が形成される。区画空間４の下方部分は開放状態になっており、各保持部３内がそれぞれ連通する形態となっている。このように構成された板体１１は、さらに底部８を備える方形状の筒体１８の内部に嵌挿してあり、板体１１と区画部材１３の端面が方形状の筒体１８の内面に強固に当接して板体１１の起立状態及び不動状態が確実に保持されている。方形状の筒体１８の材質は花器内に収容した際に水に沈むような重量物にすることが望ましく、例えば陶器、銅器、磁器、ガラスなどが挙げられ、整形部１となる板体１１と同様のプラスチックや、ゴム、木製などであっても勿論よい。花器内に生花整形器を収容した場合、花器内の水が保持部３内と方形状の筒体１８内を循環するように、方形状の筒体１８の側面及び底部８には透水穴９が、また板体１１の下端には上方に向かって凹状の透水溝１４が形成してある。このように構成することにより、全ての区画空間４内に保持部３を備えているので、どの区画空間４内に花樹を挿し込んでも容易に固定することができ、花樹の茎などを用いて区画空間４内の隙間を埋めて花樹を固定させる手間を省くことが可能となり、その結果、様々な生け方を誰もが手軽に楽しむことができる。また様々な流派にも対応することが可能となり、従来の剣山の代用品として抵抗なく使用することができる。
【００３６】
図１０（ａ）（ｂ）は本発明の生花整形器の使用例を示す斜視図である。図１０（ａ）は、水盤状の器体１９に本発明の生花整形器の第１実施形態を用いた使用例を示すものである。図１０（ｂ）は、コップやグラス形状の器体１９又は既存のコップやグラスなどに本発明の生花整形器の第３実施形態を用いた使用例を示すものである。この場合、器体１９としては紙コップを使用することもできる。図１０（ａ）（ｂ）の２０は各生花整形器に生けた花樹である。これらに示すように、様々な形状の器体１９内に本発明の生花整形器を収容することで、様々な器体１９を花器として使用することが可能となり、今までにはない非常に斬新なアイディアである。また、生花整形器の下方に向かって下窄み形状をなす保持部３に花樹を挿し込むだけで、容易に自分の思い通りの花形を作ることが可能であると共に、挿し込むだけで花樹の不動状態を確実に保持することが可能であるため、花器内の水交換作業を簡便に行うことができる。
【００３７】
ここで水交換の方法としては、まず図１０（ａ）の場合は、生花整形器に筒体２を備えていることにより生け花の起立状態が確保されるため、生け花を生花整形器ごと器体１９内から取り出して別の場所に一旦置いておくことができるので、器体１９内の水を容易に排水できる。排水後、器体１９内に水を注入してから器体１９内に生花整形器ごと生け花を戻すか、又は、生花整形器ごと生け花を器体１９内に戻してから器体１９内に水を注入することで水交換が完了する。この方法は、器体１９の形状が大きい場合や重量のある場合などに非常に都合が良い。次に図１０（ｂ）の場合は、器体１９を９０°以上傾けても花形が崩れないため、器体１９内に花樹を生けた状態のまま、生け花が飛び出さないように生花整形器を手で押さえるなどして器体１９自体を傾けて器体１９内の水を排水した後、水を注入することにより水交換が完了する。この方法は、器体１９が小さい場合や軽量な場合に作業がし易く非常に都合が良い。このように本発明の生花整形器を使用すれば水交換作業が簡便に行えるので、水交換作業を行うことが面倒にならず、その結果、生け花のみずみずしい状態を長期間に亘って保つことが可能となる。
【図面の簡単な説明】
【００３８】
【図１（ａ）（ｂ）】本発明の生花整形器の第１実施形態を示す斜視図及びＡ−Ａ矢視の断面図である。
【図２（ａ）（ｂ）】本発明の生花整形器の第２実施形態を示す斜視図及びＡ−Ａ矢視の断面図である。
【図３（ａ）（ｂ）】本発明の生花整形器の第３実施形態を示す斜視図及び要部の拡大図である。
【図４】本発明の生花整形器の第３実施形態の使用例を示す斜視図である。
【図５（ａ）（ｂ）】本発明の生花整形器の第４実施形態を示す斜視図及び要部の拡大図である。
【図６（ａ）（ｂ）】本発明の生花整形器の第５実施形態を示す斜視図及び要部の拡大図である。
【図７】本発明の生花整形器の第６実施形態を示す斜視図である。
【図８（ａ）（ｂ）】本発明の生花整形器の第７実施形態を示す斜視図及びＡ−Ａ矢視の断面図である。
【図９】本発明の生花整形器の第８実施形態を示す斜視図である。
【図１０（ａ）（ｂ）】本発明の生花整形器の使用例を示す斜視図である。
【符号の説明】
【００３９】
１  整形部
２  筒体（筒状体）
３  保持部
４  区画空間
１１  板体
１２  切り込み溝
１３  区画部材
１５  補助溝（挿し込み補助部）
１８  方形状の筒体
【図１（ａ）（ｂ）】
2006204455.tif 000003
【図２（ａ）（ｂ）】
2006204455.tif 000004
【図３（ａ）（ｂ）】
2006204455.tif 000005
【図４】
2006204455.tif 000006
【図５（ａ）（ｂ）】
2006204455.tif 000007
【図６（ａ）（ｂ）】
2006204455.tif 000008
【図７】
2006204455.tif 000009
【図８（ａ）（ｂ）】
2006204455.tif 000010
【図９】
2006204455.tif 000011
【図１０（ａ）（ｂ）】
2006204455.tif 000012